(57)【要約】【課題】郵便物本体部の外表面の仕様に関わらず、宛名や差出人等の文字の記入が容易で且つ可読性の優れた郵便物を提供する。【解決手段】郵便物は、郵便物本体部と、郵便物本体部の外面の少なくとも一部を覆うように当該郵便物本体部に対して一体に取り付けられ、その表面に文字の記入領域が形成されている透明又は半透明のカバーシート体と、を備える。【選択図】図１
2018016037.tif 000002
【特許請求の範囲】
【請求項１】
郵便物本体部と、
前記郵便物本体部の外面の少なくとも一部を覆うように当該郵便物本体部に対して一体に取り付けられ、その表面に文字の記入領域が形成されている透明又は半透明のカバーシート体と、
を備える郵便物。
【請求項２】
前記郵便物本体部は、外面に模様が印刷された模様印刷領域を有しており、
前記カバーシート体は、前記郵便物本体部における前記模様印刷領域を覆っている、
請求項１に記載の郵便物。
【請求項３】
前記カバーシート体の一部のみが前記郵便物本体部に対して接着されている、
請求項１又は２に記載の郵便物。
【請求項４】
前記郵便物が封筒であって、
前記郵便物本体部は、封筒前面部と封筒後面部とによって袋状をなすと共に、前記封筒前面部の上縁から封筒を封止するフラップが延設されており、
前記カバーシート体の一端は、前記フラップの裏面側に折り返された状態で当該フラップの裏面に接着され、前記カバーシート体の他端は、前記封筒後面部の上縁から裏面側に折り返された状態で当該封筒後面部の裏面に接着されている、
請求項３に記載の郵便物。
【発明の詳細な説明】
【技術分野】
【０００１】
本発明は、郵便物に関する。
【背景技術】
【０００２】
封筒本体部の外面に絵柄、写真、イラスト等といった模様が印刷された封筒が知られている。例えば、特許文献１には、封筒本体部の外面全体に、等間隔で縦・横に直線状に模様を施した封筒が開示されている。
【先行技術文献】
【特許文献】
【０００３】
【特許文献１】実用新案登録第３１７０１５６号公報
【特許文献２】実開平６−５１１３９号公報
【発明の概要】
【発明が解決しようとする課題】
【０００４】
しかしながら、郵送のための封筒や葉書（ポストカード）等といった郵便物の外面に絵柄、写真、イラスト等といった模様が印刷されていると、宛名や差出人等を示す文字を記入することが難しく、また、記入された文字が模様に紛れて見えにくくなってしまう虞があった。また、既製の封筒や葉書ではなく、例えば、お気に入りのポスターや雑誌の切り抜きなどを利用してデザイン性の高い封筒や葉書等を創作しようとした場合においても、同様に、宛名等の文字が記入しにくく、且つ、文字の可読性が低下することが想定される。その結果、デザイン性が高く、オリジナル性の豊かな封筒や葉書等を創作することが難しいのが実情であった。このような課題は、外面に模様が印刷されていない郵便物にも起こり得る。例えば、表面が平滑ではなく、エンボス加工やプリーツ加工等といった表面凹凸加飾が施されている紙を用いて封筒や葉書等を作製しようとする場合等においても、凹凸面に宛名を記入しにくくなることが想定される。
【０００５】
本発明は、上記の課題に鑑みてなされたものであり、その目的は、郵便物本体部の外面の仕様に関わらず、宛名や差出人等の文字の記入が容易で且つ可読性の優れた郵便物を提供することにある。
【課題を解決するための手段】
【０００６】
上記課題を解決するため、本発明に係る郵便物は以下の構成を採用した。即ち、本発明に係る郵便物は、郵便物本体部と、前記郵便物本体部の外面の少なくとも一部を覆うように当該郵便物本体部に対して一体に取り付けられ、その表面に文字の記入領域が形成されている透明又は半透明のカバーシート体と、を備えることを特徴とする。
【０００７】
本発明によれば、カバーシート体の表面に文字の記入領域が形成されているため、郵便物の差出人は、カバーシート体の表面に宛名や、差出人情報等を容易に記入することができる。そして、カバーシート体は、透明又は半透明であるため、郵便物の受取人も、カバーシート体に記入された文字を容易に読み取ることができると共に、カバーシート体越しに郵便物本体部の外面を容易に視認することができる。従って、本発明によれば、郵便物の外面に模様が印刷されていたり、凹凸は表面加工がなされていたとしても、宛名や差出人等の文字を記入が容易で、且つ、可読性に優れた郵便物を提供できる。更に、本発明に係る郵便物によれば、カバーシート体の表面に形成された文字の記入領域に宛名等を記入することができるため、文字の記入に用いる筆記具の自由度が制限されることがなく、利用者の使用満足度を高めることができる。なお、郵便物は、郵送のために用いられる封筒
、葉書（ポストカード）等が例示できるが、これには限られない。
【０００８】
また、本発明において、前記郵便物本体部は、外面に模様が印刷された模様印刷領域を有しており、前記カバーシート体は、前記郵便物本体部における前記模様印刷領域を覆っていても良い。
【０００９】
また、前記カバーシート体の一部のみが前記郵便物本体部に対して接着されていても良い。これによれば、郵便物の受取人が、郵便物本体部からカバーシート体を容易に取り外し、郵便物の２次的利用を図り易いという利点がある。
【００１０】
また、本発明において、前記郵便物が封筒であって、前記郵便物本体部は、封筒前面部と封筒後面部とによって袋状をなすと共に、前記封筒前面部の上縁から封筒を封止するフラップが延設されており、前記カバーシート体の一端は、前記フラップの裏面側に折り返された状態で当該フラップの裏面に接着され、前記カバーシート体の他端は、前記封筒後面部の上縁から裏面側に折り返された状態で当該封筒後面部の裏面に接着されていても良い。
【発明の効果】
【００１１】
本発明によれば、郵便物本体部の外面の仕様に関わらず、宛名や差出人等の文字の記入が容易で且つ可読性の優れた郵便物を提供することができる。
【図面の簡単な説明】
【００１２】
【図１】図１は、実施形態１に係る封筒の正面図である。
【図２】図２は、実施形態１に係る封筒の背面図である。
【図３】図３は、実施形態１に係る封筒の斜視図である。
【図４】図４は、実施形態１に係る封筒の分解斜視図である。
【図５】図５は、実施形態１に係る封筒の組み立て手順を示す図である。
【図６】図６は、実施形態１に係る封筒に宛名書きがなされる状況を説明する図である。
【図７】図７は、実施形態１に係る封筒から半透明紙カバーが取り外される状況を説明する図である。
【図８】図８は、実施形態１の変形例に係る封筒を説明する図である。
【図９】図９は、実施形態１の変形例に係る封筒を説明する図である。
【図１０】図１０は、実施形態２に係る葉書を示す図である。
【図１１】図１１は、実施形態２に係る葉書を示す図である。
【図１２】図１２は、実施形態２の変形例に係るポストカードを示す図である。
【図１３】図１３は、実施形態２の変形例に係る葉書を示す図である。
【発明を実施するための形態】
【００１３】
以下、実施形態に係る封筒について、図面を参照しながら説明する。
【００１４】
＜実施形態１＞
図１は、実施形態１に係る封筒１の正面図である。より詳しくは、図１（ａ）は、フラップを閉じた状態の封筒１の正面図を示し、図１（ｂ）は、フラップが開いた状態の封筒１の正面図を示す。図２は、実施形態１に係る封筒１の背面図である。より詳しくは、図２（ａ）は、フラップを閉じた状態の封筒１の背面図を示し、図２（ｂ）は、フラップを開いた状態の封筒１の背面図を示す。
【００１５】
封筒１は、郵送のために用いられる郵便物の一例であり、封筒本体部２及びカバーシート体３を備えている。本実施形態における封筒本体部２は、本発明に係る郵便物本体部に
相当する。封筒本体部２は、封筒前面部２１と封筒後面部２２とを有し、これらによって袋体を形成している。封筒本体部２における封筒前面部２１の上端には、手紙等の内容物を出し入れするための開口部２４を封止するための封止フラップ２３が延設されている。この封止フラップ２３は、封筒本体部２における封筒後面部２２側に折り返されて、封筒後面部２２の外面に貼り付けられることで、封筒１の開口部２４が封止されている。
【００１６】
封筒本体部２（封筒前面部２１、封筒後面部２２）の外面２ａには、模様が印刷された模様印刷領域４が形成されている。本実施形態において、模様印刷領域４は、封筒本体部２の外面２ａの全体（全面）に形成されている。言い換えると、封筒本体部２の外面２ａの全体（全面）に模様が印刷されている。模様印刷領域４は、例えば花柄等のモチーフが印刷されたモチーフ印刷部４aと、背景が印刷された背景印刷部４ｂとを含む。背景印刷
部４ｂは、模様印刷領域４のうち、モチーフ印刷部４ａを除いた領域である。なお、後述するように、封筒本体部２における外面２ａの一部に模様印刷領域４が形成されていても良い。
【００１７】
図３は、実施形態１に係る封筒１の背面の斜視図である。図４は、実施形態１に係る封筒１の分解斜視図である。
【００１８】
カバーシート体３は、封筒本体部２（郵便物本体部）の外面の少なくとも一部を覆うように封筒本体部２に対して一体に取り付けられた透明又は半透明のシート部材である。本実施形態においては、カバーシート体３を半透明の紙シート部材によって形成している。より具体的には、本実施形態におけるカバーシート体３は、透光性を有する半透明紙であるトレーシングペーパーによって形成されている。また、カバーシート体３は、トレーシングペーパーに限られず、他の半透明紙によって形成されていても良い。また、カバーシート体３を形成する材料は紙でなくても良く、透明又は半透明の樹脂フィルム部材によって形成されていても良い。樹脂フィルム部材を形成する材料は特に限定されないが、例えば、ポリプロピレン（ＰＰ）やポリエチレン（ＰＥ）等が例示できる。
【００１９】
ここで、カバーシート体３は、封筒本体部２における模様印刷領域４を覆うように当該封筒本体部２の外側に取り付けられており、その表面に宛名や差出人情報等といった文字の記入領域が形成されている。上記のように、カバーシート体３は透明又は半透明のシート部材であるため、封筒本体部２における外面２ａの模様印刷領域４に印刷されている模様を視認可能な光透過性を有している。
【００２０】
本実施形態において、カバーシート体３を形成するトレーシングペーパーは、無地であるが、これには限定されない。例えば、カバーシート体３を形成するトレーシングペーパーに模様が印刷されていても良いし、宛名や差出人を記名する記入領域を表す枠が印刷されていても良い。また、トレーシングペーパーは、白色に限らず、白以外の色に着色された色付きトレーシングペーパーを使用してカバーシート体３を形成しても良い。
【００２１】
なお、本実施形態では、封筒本体部２における外面２ａ全面に模様印刷領域４が形成されているため、カバーシート体３は、封筒本体部２の外面２ａ全体を覆うように配置されている。
【００２２】
図４に示す分解斜視図において、封筒本体部２及びカバーシート体３が展開された状態となっている。図４に示す符号２１ａはサイドフラップである。サイドフラップ２１ａは、封筒本体部２の封筒前面部２１の一対の側辺に沿って連設されたフラップである。封筒前面部２１に連設されたサイドフラップ２１ａに封筒後面部２２の裏面側の側辺を接着することで、封筒本体部２が袋状に形成される。
【００２３】
図５は、実施形態１に係る封筒１における封筒本体部２及びカバーシート体３の組み立て手順を示す図である。図４、図５において、封筒本体部２における外面２ａの模様印刷領域４に印刷されている模様の図示を省略している。図４及び図５（ａ）に示すように、封筒本体部２の外面２ａにカバーシート体３が対向するように、封筒本体部２とカバーシート体３とを重ねる。図４に示すように、カバーシート体３は矩形状を有しており、長手方向の一端側に第１接着領域３aが形成され、長手方向の他端側に第２接着領域３ｅが形
成されている。また、第１接着領域３ａ及び第２接着領域３ｂの間には、フラップ対向領域３ｂ、前面部対向領域３ｃ、後面部対向領域３ｄが、順次折り込み線を介して連なっている。フラップ対向領域３ｂ、前面部対向領域３ｃ、後面部対向領域３ｄは、それぞれ封筒本体部２のフラップ２３、封筒前面部２１及び封筒後面部２２の高さとほぼ同じ長さ寸法を有している。厳密には、封筒１を折り込んで組み立てた際に、封筒本体部２側の折り込み位置と、カバーシート体３側の折り込み位置とが一致するように、封筒本体部２のフラップ２３、封筒前面部２１及び封筒後面部２２の各高さに比べてカバーシート体３のフラップ対向領域３ｂ、前面部対向領域３ｃ、後面部対向領域３ｄの寸法の方が僅かに長くなっている。そして、封筒本体部２及びカバーシート体３の組み立てが完了した状態で、カバーシート体３のフラップ対向領域３ｂ、前面部対向領域３ｃ、後面部対向領域３ｄは、それぞれ封筒本体部２の封止、封筒前面部２１、封筒後面部２２を覆うように配置される。
【００２４】
図４において、Ｌ３１は、第１接着領域３ａ及びフラップ対向領域３ｂの間に形成された折り込み線である。同様に、Ｌ３２〜Ｌ３４は、フラップ対向領域３ｂ及び前面部対向領域３ｃ、前面部対向領域３ｃ及び後面部対向領域３ｄ、後面部対向領域３ｄ及び第２接着領域３ｅの間に形成された折り込み線である。
【００２５】
図５(ａ)に示すように、カバーシート体３と封筒本体部２とが重ねられた状態で、カバーシート体３の折り込み線Ｌ３１〜Ｌ３４（図４を参照）が、それぞれ封止フラップ２３の先端部２３ａ、封止フラップ２３及び封筒前面部２１の境界位置に形成された折り込み線Ｌ２１、封筒前面部２１及び封筒後面部２２の境界位置に形成された折り込み線Ｌ２２、封筒後面部２２の上縁２２ａ（図２（ｂ）を参照）と位置が合致している。この状態から、カバーシート体３における第１接着領域３ａを封筒本体部２における封止フラップ２３の先端２３ａから裏面２３ｂ側に折り返し、折り返された状態の第１接着領域３ａを封止フラップ２３の裏面（内面）２３ｂに接着する。また、カバーシート体３における第２接着領域３ｅを封筒本体部２における封筒後面部２２の上縁２２ａから封筒後面部２２の裏面（内面）２２ｂ側に折り返し、折り返された状態の第２接着領域３ｅを封筒後面部２２の裏面２２ｂに接着する（図５（ｂ）を参照）。
【００２６】
次に、図５（ｃ）に示すように、封筒本体部２のサイドフラップ２１ａを折り返した後、折り込み線Ｌ２２を境に封筒前面部２１に対して封筒後面部２２を折り返すと共に、封筒後面部２２の左右の側辺部分をサイドフラップ２１ａに接着することで封筒本体部２を袋状に成形する。更に、折り込み線Ｌ２１を境に封筒前面部２１に対して封止フラップ２３を折り返すことで、図１〜３等に示す封筒１が完成する。なお、本実施形態におけるカバーシート体３は、封筒本体部２におけるサイドフラップ２１ａを覆うように、サイドフラップ２１ａに対応する形状及び大きさを有するサイドフラップ被覆部が、前面部対向領域３ｃの両側に折り込み線を介して連設されていても良い。この場合、カバーシート体３のサイドフラップ被覆部は、前面部対向領域３ｃとの境界に位置する折り込み線に沿って折り返されると共に、封筒本体部２におけるサイドフラップ２１ａ上に重ねられた状態で、サイドフラップ２１ａに接着しても良い。この場合、カバーシート体３は、封止フラップ２３の先端部２３ａ、封筒後面部２２の上縁２２ａに加えて、各サイドフラップ２１ａにおいても、封筒本体部２と接着されることになる。
【００２７】
以上のように、本実施形態に係る封筒１によれば、封筒本体部２の外面２ａにモチーフ印刷部４aや背景印刷部４ｂを含む模様印刷領域４を形成することで封筒１の外観に加飾
を施しても、カバーシート体３の表面には文字の記入領域が形成されているため、封筒１の差出人は、図６に示すように、カバーシート体３の表面に宛名や、差出人情報等を容易に記入することができる。そして、封筒１を受け取った受取人も、カバーシート体３に記入された文字を容易に読み取ることができると共に、カバーシート体３越しに模様印刷領域４に印刷されている模様を視認することができ、加飾を楽しむことができる。従って、本実施形態によれば、封筒本体部２における外面２ａの仕様に関わらず、宛名や差出人等の記入が容易で、且つ、可読性に優れた封筒１を提供することができる。
【００２８】
ここで、一般的に、印刷面に万年筆等を用いて宛名や差出人情報を記入した場合、印刷面の油脂によってインクが弾かれ、文字を適切に筆記することが困難となる。従って、このような場合、差出人は油脂に弾かれ難い油性インキを使用せざるを得ない場合がある。その結果、宛名書き等に用いる筆記具の自由度が狭まってしまい、利用者にとって満足度合いが低くなってしまうおそれがある。これに対して、本実施形態における封筒１によれば、封筒本体部２の外面２ａ全体に模様を印刷したとしても、模様印刷領域４を覆うように封筒本体部２の外側にカバーシート体３が取り付けられているため、封筒１の意匠性を高めつつ、宛名書き等に用いる筆記具の選択になんら制限を設けることなく文字の記入を容易に行うことが可能となる。
【００２９】
更に、本実施形態に係る封筒１においては、カバーシート体３を無地のトレーシングペーパーによって形成した。これによれば、模様印刷領域４の模様を視認可能としつつ文字を容易に記入可能なカバーシート体３を非常に入手し易く廉価な材料によって形成することができるという利点がある。
【００３０】
また、本実施形態において、カバーシート体３の一部のみが、封筒本体部２（郵便物本体部）に対して接着されている。これによれば、カバーシート体３のうち、カバーシート体３が封筒本体部２と接着されていない領域は、外面２ａとカバーシート体３との間に空気層が形成されるため、カバーシート体３に記入された宛名や差出人情報の可読性を向上させることができると共に、美観性も向上させることができる。更には、郵送されてきた封筒１を受け取った受取人が、封筒１の封筒本体部２からカバーシート体３を容易に取り外すことができ、カバーシート体３を取り外した後の封筒本体部２を受取人が２次利用することができるという利点がある。
【００３１】
特に、本実施形態においては、カバーシート体３の一端は、封止フラップ２３の裏面２３ｂ側に折り返された状態で封止フラップ２３の裏面２３ｂに接着され、カバーシート体３の他端は、封筒後面部２２の上縁２２ａから裏面２２ｂ側に折り返された状態で封筒後面部２２の裏面２２ｂに接着されている。このような封筒本体部２に対するカバーシート体３の接合構造を採用することで、封筒本体部２の裏面（内面）のみにカバーシート体３を接着しつつ、封筒本体部２の外面２ａをカバーシート体３によって覆うことができる。
【００３２】
図７は、実施形態１に係る封筒１の受取人が、封筒１の封筒本体部２からカバーシート体３を取り除いている状態を説明する図である。封筒本体部２のうち、模様印刷領域４が設けられている外面２ａにはカバーシート体３が直接接着されていないため、封筒１を２次利用し易い。即ち、受取人に郵送された後の封筒１におけるカバーシート体３を封筒本体部２から取り外した場合、接着部分にカバーシート体３が破れて残存したとしても封筒本体部２の外面２ａにカバーシート体３が残存することがない。また、糊汚れが、カバーシート体３の外面２ａに現れることもない。従って、封筒１の受取人が封筒本体部２からカバーシート体３を取り外した後、模様印刷領域４が形成されている外面２ａを表側にして壁等に飾ろうとする際にも、透明紙カバー３の取り残しや糊汚れ等が表側に出現するこ
とを抑制できる。
【００３３】
また、本発明は、既製品ではなく、例えば、お気に入りのポスターや雑誌の切り抜きなど、あらゆる素材を利用してデザイン性が高く、オリジナル性の豊かな郵便物を創作する場合にも特に有用である。例えば、商品の販売促進、イベント案内、商品案内等の公告、宣伝が印刷されたポスター・チラシ等を袋状に折り込むことで封筒本体部２を作製する場合を考える。この種のポスター・チラシ等は、通常、全面に公告、宣伝情報が印刷されている場合が多い。このような場合においても、本発明によれば、封筒本体部２の外面２ａを覆うようにしてカバーシート体３を封筒本体部２に取り付けることで、宛名や差出人等の記入が容易で、且つ、可読性に優れた郵便物を提供することができる。
【００３４】
なお、本発明に係る実施形態は種々の変更、改良、組み合わせ等が可能である。例えば、上記実施形態１において、封筒１は洋封筒を例に説明したが、和封筒であっても良いのは勿論である。また、模様印刷領域４に印刷する模様の種類、数、印刷範囲等は適宜変更することができる。
【００３５】
上述の実施形態１では、封筒本体部２における外面２ａ全体に模様印刷領域４が形成される態様を例に説明したが、封筒本体部２における外面２ａの一部のみに模様印刷領域４が形成されていても良い。この場合、封筒本体部２における模様印刷領域４の全部がカバーシート体３によって覆われても良いし、模様印刷領域４の一部のみがカバーシート体３によって覆われても良い。勿論、封筒本体部２における外面２ａ全体を、カバーシート体３によって覆うようにしても良い。
【００３６】
また、上述の実施形態１では、封筒本体部２の裏面（内面）のみにカバーシート体３を接着しつつ、封筒本体部２の外面２ａをカバーシート体３によって覆う態様を例に説明したが、これには限られない。例えば、封筒本体部２の封筒前面部２１に対してサイドフラップ２１ａ及び封筒後面部２２が折り返されると共に封筒後面部２２の両側辺部分がサイドフラップ２１ａと接着されることで既に袋状をなしている封筒本体部２に対してカバーシート体３を取り付ける場合を想定する。この場合、既に封筒本体部２における封筒後面部２２の両側辺部分がサイドフラップ２１ａと接着されているため、これらの間にカバーシート体３の端部を挿入することができない。そこで、このような態様の場合には、封筒後面部２２における表面側、例えば、封筒後面部２２における上縁２２ａに沿ってカバーシート体３の端縁を接着しても良い。以上のように、本実施形態において、封筒本体部２に対するカバーシート体３の接着態様は、適宜変更することができる。
【００３７】
また、実施形態１に係る封筒１の封筒本体部２は、外面２ａに模様印刷領域４が形成されていなくても良い。例えば、外面２ａが平滑ではなく、エンボス加工やプリーツ加工等といった表面凹凸加飾が施されている紙を用いて封筒本体部２を形成する場合等、通常であれば凹凸面に宛名等を記入する必要があり、適切に筆記することが難しくなり易い。これに対して、本実施形態における封筒１においては、封筒本体部２の外面２ａにエンボス加工やプリーツ加工等といった表面凹凸加飾が施されている場合等においても、封筒本体部２の外面２ａの少なくとも一部を覆うように封筒本体部２に対してカバーシート体３を一体に取り付けることができるため、カバーシート体３の表面に形成されている文字の記入領域に容易かつ適切に筆記することが可能となる。
【００３８】
＜変形例＞
図８及び図９は、実施形態１の変形例に係る封筒１Ａを説明する図である。図８の分解斜視図に示すようなカバーシート体３Ａを、封筒本体部２に取り付けることで封筒１Ａを作製しても良い。封筒本体部２は、図４等で説明した通りである。また、カバーシート体３Ａは、上述したカバーシート体３と同様にトレーシングペーパーによって形成されてい
ても良く、表面に宛名や差出人情報等といった文字の記入領域が形成されている。
【００３９】
図８においても、封筒本体部２における外面２ａの模様印刷領域４に印刷されている模様の図示を省略している。図８に示すカバーシート体３Ａは、前面部対向領域３ｃと、前面部対向領域３ｃの両側に折り込み線を介して連設されている一対のサイドフラップ被覆部３ｆを有している。カバーシート体３Ａは、サイドフラップ被覆部３ｆが前面部対向領域３ｃとの境界に位置する折り込み線Ｌ３５に沿って折り返される。そして、封筒本体部２におけるサイドフラップ２１ａ上にサイドフラップ被覆部３ｆが重ねられた状態で、サイドフラップ２１ａにサイドフラップ被覆部３ｆが接着されることで、カバーシート体３Ａが封筒本体部２と一体に取り付けられ、図９に示す封筒１Ａが完成する。なお、本変形例に係る封筒１Ａは、封筒本体部２における封筒前面部２１の外面２ａがカバーシート体３Ａの前面部対向領域３ｃによって覆われた構造となっている。
【００４０】
＜実施形態２＞
次に、実施形態２について説明する。実施形態２においては、郵送のために用いられる郵便物として、葉書（ポストカード）１Ｂを例に採用する場合を説明する。図１０、図１１は、実施形態２に係る葉書１Ｂを示す図である。葉書１Ｂは、葉書本体部６（郵便物本体部）及びカバーシート体３１，３２を備えている。葉書本体部６は、表面６ａを有する第１紙板６１と、裏面６ｂを有する第２紙板６２を貼り合わせた合紙構造を有している。図１０（ａ）は、実施形態２における葉書１Ｂ（葉書本体部６）の表面６ａ側を示した正面図である。図１０（ｂ）は、実施形態２における葉書１Ｂ（葉書本体部６）の裏面６ｂ側を示した正面図である。葉書本体部６における表面６ａ及び裏面６ｂは、葉書本体部６の外面に該当する。
【００４１】
葉書本体部６における第１紙板６１の表面６ａと、第２紙板６２の裏面６ｂには、絵柄、写真、イラスト等といった模様が印刷された模様印刷領域４が形成されている。模様印刷領域４は、実施形態１において既に述べた通りである。図１０（ａ）、（ｂ）に示す例では、第１紙板６１の表面６ａには、「Ｍｅｒｒｙ  Ｃｈｒｉｓｔｍａｓ」というメッセージと雪の結晶のイラスト等が印刷された模様印刷領域４が形成されている。また、第２紙板６２の裏面６ｂには、氷をモチーフとした写真が印刷されている。但し、これら模様印刷領域４の態様は例示的なものである。
【００４２】
カバーシート体３Ｂは、葉書本体部６の表面６ａを覆うように葉書本体部６に取り付けられている透明又は半透明のシート部材である。また、カバーシート体３Ｃは、葉書本体部６の裏面６ｂを覆うように葉書本体部６に取り付けられている透明又は半透明のシート部材である。本実施形態におけるカバーシート体３Ｂ、３Ｃは、実施形態１のカバーシート体３と同様にトレーシングペーパーによって形成されているが、実施形態１において述べたようにカバーシート体は種々の変形例を採用することができる。また、カバーシート体３Ｂ、３Ｃにおいても、表面に宛名や差出人情報等といった文字の記入領域が形成されている。
【００４３】
図１１は、実施形態２に係る葉書１Ｂの断面構造を示す図である。図１１に示す６１ａ及び６１ｂは、それぞれ葉書本体部６における第１紙板６１の上縁及び下縁である。また、６２a及び６２ｂは、それぞれ葉書本体部６における第２紙板６２の上縁及び下縁であ
る。図１１に示すように、カバーシート体３Ｂの一端側の端部３０１と他端側の端部３０２は、第１紙板６１の上縁６１ａ及び下縁６１ｂに沿って裏面６ｃ側に折り返されて、当該裏面６ｃに接着されている。同様に、カバーシート体３Ｃの一端側の端部３０３と他端側の端部３０４は、第２紙板６２の上縁６２ａ及び下縁６２ｂに沿って裏面６ｄ側に折り返されて、当該裏面６ｄに接着されている。即ち、カバーシート体３Ｂ、３Ｃは、その端部のみが葉書本体部６に対して接着されており、その接着部が葉書本体部６の外面側に現
れない構造となっている。葉書１Ｂは、例えば、図１１に示すようにカバーシート体３Ｂが取り付けられた第１紙板６１と、カバーシート体３Ｃが取り付けられた第２紙板６２をそれぞれ用意し、これらを接着材７によって貼り合せることで完成する。
【００４４】
以上のように構成される実施形態２に係る葉書１Ｂにおいても、郵便物本体部としての葉書本体部６の少なくとも一部がカバーシート体３Ｃ，３Ｄによって覆われているため、上述した実施形態１に係る封筒１と同様の効果を奏する。即ち、葉書本体部６における外面（表面６ａ、裏面６ｂ）の仕様に関わらず、宛名や差出人等の記入が容易で、且つ、可読性に優れた葉書１Ｂ（郵便物）を提供することができる。
【００４５】
なお、葉書１Ｂにおけるカバーシート体３Ｂ、３Ｃの配置態様について、種々の変更を加えることができる。例えば、カバーシート体３Ｂ及び３Ｃの何れか一方を配置しなくてもよい。例えば、葉書本体部６の表面６ａ側だけにカバーシート体３Ｂを設け、裏面６ｂを露出させても良い。また、葉書本体部６の裏面６ｃ側だけにカバーシート体３Ｃを設け、表面６ａを露出させても良い。
【００４６】
また、本発明は、図１２に示す変形例のように二つ折りポストカード１Ｃ（郵便物）にも適用することができる。二つ折りポストカード１Ｃは、二つ折りの葉書本体部６Ａと、葉書本体部６Ａの外面６０の少なくとも一部を覆うように葉書本体部６Ａに取り付けられるカバーシート体３Ｄを有している。図１２は、葉書本体部６Ａの外面６０側を示している。葉書本体部６Ａは、中央の折り込み線を境にして一方側の領域である第１本体部６１Ａと、他方側の領域である第２本体部６２Ａとを含んでいる。葉書本体部６Ａは、本発明に係る郵便物本体部の一例である。また、カバーシート体３Ｄは、上述までのカバーシート体３、３Ａ〜Ｃと同様である。
【００４７】
図１２に示す例では、葉書本体部６Ａの外面６０全体に模様印刷領域４が形成されており、カバーシート体３Ｄは外面６０全体を覆っている。なお、カバーシート体３Ｄは、その端部領域のみが葉書本体部６Ａに接着されており、これによってカバーシート体３Ｄに記入された宛名等の可読性を高めることができる。このような二つ折りポストカード１Ｃによっても、上述した葉書１Ｂと同様な効果を奏する。また、二つ折りポストカード１Ｃにおいて、葉書本体部６Ａの見開き面側にもカバーシート３Ｄを取り付けることで、当該見開き面をカバーシート体３Ｄによって覆っても良い。この場合、例えば、葉書本体部６Ａの見開き面に模様印刷領域４が形成されている場合であっても、カバーシート体３Ｄの表面に容易にメッセージ等を筆記することができ、また、そのメッセージの可読性や模様印刷領域４の視認性も十分に確保することができる。
【００４８】
図１３は、変形例に係る葉書１Ｄ（郵便物）を示したものである。葉書１Ｄは、葉書本体部６Ｂ（郵便物本体部）と、当該葉書本体部６Ｂを覆う袋状のカバーシート体３Ｅを有する。カバーシート体３Ｅの表面には、宛名や差出人情報等といった文字の記入領域が形成されている。葉書本体部６Ｂの外面６０には、模様印刷領域４が形成されている。カバーシート体３Ｅは、例えば、ポリプロピレン（ＰＰ）やポリエチレン（ＰＥ）等といった透明の樹脂フィルムによって形成されている。このような構造によっても、カバーシート体３Ｅと葉書本体部６Ｂとの間には空気層が形成されるため、葉書本体部６Ｂの仕様に関わらず宛名や差出人情報の可読性を向上させることができる。
【００４９】
以上、実施形態に沿って本発明に係る封筒や葉書（ポストカード）等といった郵送のために用いる郵便物の構造について説明したが、本発明はこれらに制限されるものではなく、上記実施形態は種々の変更、改良、組み合わせ等が可能である。
【符号の説明】
【００５０】
１・・・封筒
２・・・封筒本体部
３・・・カバーシート体
４・・・模様印刷領域
４ａ・・モチーフ印刷部
４ｂ・・背景印刷部
【図１】
2018016037.tif 000003
【図２】
2018016037.tif 000004
【図３】
2018016037.tif 000005
【図４】
2018016037.tif 000006
【図５】
2018016037.tif 000007
【図６】
2018016037.tif 000008
【図７】
2018016037.tif 000009
【図８】
2018016037.tif 000010
【図９】
2018016037.tif 000011
【図１０】
2018016037.tif 000012
【図１１】
2018016037.tif 000013
【図１２】
2018016037.tif 000014
【図１３】
2018016037.tif 000015
【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
郵便物本体部と、
前記郵便物本体部の外面の少なくとも一部を覆うように当該郵便物本体部に対して一体に取り付けられ、その表面に文字の記入領域が形成されている透明又は半透明のカバーシート体と、
を備え、
前記カバーシート体の一部のみが前記郵便物本体部に対して接着されており、
前記郵便物が封筒であって、
前記郵便物本体部は、封筒前面部と封筒後面部とによって袋状をなすと共に、前記封筒前面部の上縁から封筒を封止するフラップが延設されており、
前記カバーシート体の一端は、前記フラップの裏面側に折り返された状態で当該フラップの裏面に接着され、前記カバーシート体の他端は、前記封筒後面部の上縁から裏面側に折り返された状態で当該封筒後面部の裏面に接着されている、
郵便物。